(57)【要約】      （修正有）【課題】試料収集ゾーンと保持装置との自動式の分断を可能にし、そのために特別な研究室用容器を必要とすることがない試料採取装置を提供する。【解決手段】長尺状の保持装置１２の自由端に設けられた試料収集領域１１を備える、ＤＮＡ含有の試料のための試料採取装置１０を示す。保持装置１２は、上側の区域１３を有するとともに、これに対して遠位を向くように配置されたスリーブ１４を有している。試料収集領域１１そのものは、通常はピン１６と対応する寸法をもつアタッチメント１７を介して、スリーブ１４の遠位の端部領域へ挿入されている。区域１３を下方に動かすと、アタッチメント１７が近位の方向へスリーブ１４の中へ入るように動き、区域１３とスリーブ１４の間の境界領域１８をピン１６が覆わなくなった瞬間に、結合が解消されて、アタッチメント１７および試料収集領域１１とともにスリーブ１４が自動的に分離する。【選択図】図１ａ
2018072345.tif 000002
【特許請求の範囲】
【請求項１】
長尺状の保持装置の自由端に設けられた試料収集領域を備え、該試料収集領域は、試料採取装置から分断可能に構成され、ＤＮＡ含有の試料のための試料採取装置において、
前記保持装置は、遠位端に前記試料収集領域が配置された棒状の内側の装置を有し、前記内側の装置を少なくとも部分的に取り囲むと共にこれに対して相対的に可動である外側の装置を有しており、
前記内側の装置は、区域を有しており、前記区域のうち１つが、前記試料収集領域を担持するとともに、前記内側の装置と前記外側の装置の相対運動によって前記保持装置から分断可能であることを特徴とする試料採取装置。
【請求項２】
前記内側の装置は、近位の区域と、これと予定破断個所を介して接続され、前記試料収集領域を担持する遠位の区域とを有しており、
前記内側の装置を部分的に取り囲む小管の形態の外側の装置が設けられており、
前記遠位の区域は、前記小管内に長手方向へスライド可能であると共に回転しないよう固定され、前記近位の区域は、前記小管内に回転可能な状態で収容されていることを特徴とする、請求項１に記載の試料採取装置。
【請求項３】
前記内側の装置は、前記試料収集領域を担持する遠位の区域と、これに接するように配置され、これと結合されていない近位の区域とを有しており、
前記遠位の区域と前記近位の区域との間の分離個所を取り囲む外側の装置が設けられており、
前記近位の区域は、上方に向かって前記外側の装置から突出していることを特徴とする、請求項１に記載の試料採取装置。
【発明の詳細な説明】
【技術分野】
【０００１】
本発明は、請求項１の前提項に記載されている装置に関する。
【背景技術】
【０００２】
当分野に属する装置は特に法医学の分野で用いられ、あるいは、その他の医療上の用途でも用いられている。このような装置は試料物質を採取ないし保全する役目を果たし、その後に、試料物質が研究室での後続のステップで分析される。
【０００３】
試料採取のために適したこのような種類の装置は、専門用語ではスワブ、綿棒、あるいはフォレンジック小棒とも呼ばれる。このような装置は、通常、小棒状の長尺状の保持領域を有していて、該保持領域により、保持領域の遠位端に配置された試料収集領域を試料採取のときに動かすことができる。試料収集領域はたとえば綿球で構成されていてよい。あるいは、たとえば毛房状にした不織布等のこれ以外の材料も考えられる。重要なのは、研究室で処理されるまで試料を恒常的に受容しておき、その後に分析の過程で処理のときに適当な緩衝剤等によって再び放出をすることができる材料で、試料収集領域が構成されていることだけである。
【０００４】
たとえば法医学的な試料物質の処理の１つの主要な側面は、すでに上で述べたとおり、研究室での分析にある。そこでは、たとえば遺伝子分析、免疫学分析、またはその他の分析を行うことができる。
【０００５】
通常の場合、研究室で検査をするために試料収集領域が容器の中に移され、その中では、含まれている試料の抽出だけが行われるか、または、それ以外の前処理もすでに追加的に実施される。これは、たとえばいわゆるスピンバスケットであってよく、あるいは、その目的のために意図されるそれ以外のあらゆる研究室用容器、たとえばエッペンドルフチューブなどであってよい。
【０００６】
研究室での後続する前処理の枠内においては、長尺状の保持装置が邪魔になる。したがって普通は処理の前に、保持装置からの試料収集領域の分断が行われる。その際には、分断の枠内で試料収集領域の汚染が生じないように慎重に注意を払わなければならない。さらには研究室ロジスティクスの枠内で、および通常は比較的大量の処理されるべき試料があるという観点からも、大幅な自動化が望まれる。
【０００７】
この関連において、保持装置と取外し可能に結合された試料収集領域を有する試料採取装置が知られている。さらに、特許文献１から公知のこれに相当する装置では、研究室での前処理のために使用される容器が、容器への試料収集ゾーンの挿入を許容するが、容器から保持装置を引き抜くときに試料収集領域を固定する装置を内部に有していることが意図されている。保持装置がさらに動かされると、保持装置と試料収集領域との間の結合が外れ、邪魔になる保持装置を別個に取り出すことができる。
【０００８】
しかしながら公知の装置は、保持装置から試料収集ゾーンを自動式に分断するために、試料採取装置を相応に製作しなければならないという欠点があるだけではない。むしろ、前処理のために設けられる研究室用容器にも、試料収集ゾーンを固定する上に述べた装置を設けなければならない。
【先行技術文献】
【特許文献】
【０００９】
【特許文献１】ＥＰ１４０９６３６
【発明の概要】
【発明が解決しようとする課題】
【００１０】
したがって本発明の課題は、試料収集ゾーンと保持装置との自動式の分断を可能にし、そのために特別な研究室用容器を必要とすることがない試料採取装置を提供することにある。
【課題を解決するための手段】
【００１１】
この課題は、請求項１または請求項３の構成要件を有する試料採取装置によって解決される。
【００１２】
本発明によると、試料採取装置の第１の態様は、長手方向で見て近位の区域と遠位のスリーブとに下位区分される長尺状の保持装置を有している。近位の区域は、その遠位端から近位の方向へ延びる内側の切欠きを有しているか、ないしは、連続するスリーブとして構成されているのも好ましい。
【００１３】
遠位のスリーブは、この切欠きと一直線上に並ぶようにアライメントされている。近位の区域とスリーブとは、内側の切欠きとスリーブとの両方へわずかなクリアランスをもって挿入可能なピンを介して相互に結合されている。ピンの寸法、ならびに内側の切欠きとスリーブとの寸法は、装置が正常に使用されるときに、両方の区域の確実な結合が保証されるように相互に調整されている。その一方で、試料採取動作のときに通常ではない定義された高い力が印加されるときは、ピンにより結合されている前述の各部分の中へのピンのスライドが可能でなければならない。
【００１４】
試料収集領域そのものは、長尺状のアタッチメントの一方の端部に配置されていて、該アタッチメントの他方の端部はスリーブの遠位端に挿入されている。
【００１５】
それにより、本発明の試料採取装置は２つに分かれた保持装置を有していて、その両方の区域がピンを介して相互に結合されている。試料収集領域はスリーブの遠位端で、そこでスリーブに挿入されるアタッチメントを介して、保持装置に取り付けられている。
【００１６】
内側の切欠き、スリーブ、ピン、ならびに試料収集領域を保持するアタッチメントのそれぞれの寸法は、１つの実施形態では、試料採取装置が正常に作動しているときに、たとえば全部の部品または少なくともいくつかの部品が互いにプレス嵌めで固定されるように相互に調整されている。さらに別の実施形態は、嵌合式係合による固定を対象としている。この実施形態では、ピンおよび／またはアタッチメントが、スリーブおよび／または内側の切欠きの中でたとえば係止結合によって固定されることが意図される。ピンおよび／またはアタッチメントはそのために外方を向く係止ラグを有していて、該係止ラグは、たとえばばね力のもとで内側の切欠きに係合し、ないしはスリーブないし内側の切欠きにある破断部に係合する。係止ラグは、アタッチメントが近位へスライドしたときに係止係合が外れて、アタッチメントとピンのさらなる近位へのスライドが可能になるように構成されている。
【００１７】
当然のことながら、１つの試料採取装置で、プレス固定と嵌合式固定を組み合わせることも考えられる。
【００１８】
本発明の要部をなすのは、たとえば遠位端が固定されたときに長手方向で下方に向かって試料採取装置の近位端に作用する、定義された値を超過する力が印加されたときに、前述した各コンポーネントのスライドが可能になることである。そのようなケースのとき、近位の区域はこれに接する遠位のスリーブとともに、アタッチメントおよびピンに対して相対的にスライドする。このときピンはアタッチメントから近位の方向へ、近位の区域の切欠きの中へと押し込まれ、この切欠きへ完全に押し込まれたときに、近位の区域とスリーブとの間の結合を解消させる。すると試料収集領域がスリーブとともに、試料採取装置の近位の区域から分断される。
【００１９】
当然ながら、上側の区域の内側の切欠きは、ピンの全面的な押し込みが可能である程度の長さに構成されなくてはならない。
【００２０】
本発明の装置により、試料収集ゾーンの特別に簡単な自動式の分断が可能である。装置を近位端のところで固定し、試料収集領域を形成する遠位端とともに、これが容器の底面に当接するまで容器へ挿入するだけで足りる。そして近位端をさらに容器の底面に向かう方向へ動かすと、保持装置の周囲の部分に対するアタッチメントとピンの上に説明した相対変位が生じ、その帰結として、試料収集ゾーンが保持装置の上側の区域から分断される。
【００２１】
当然ながら、各区域の寸法設定は任意に選択することができる。ただし、希望される実質的に試料収集領域のみの分断という観点から、大半の用途では、近位の区域のほうがこれに後続する遠位のスリーブよりも明らかに長く構成される。
【００２２】
たとえば強すぎる押圧力によって、試料採取のときの試料収集領域の意図しない分断を防ぐために、好ましい実施形態では、上側の区域に挿入可能な、内側の切欠きをロックする仕切りを設けることができる。この仕切りは研究室で取り外すことができ、その後に、上に説明した試料収集ゾーンの分断を行うことができる。
【００２３】
上側の区域も連続するスリーブとして構成されている保持装置が使用される場合には、両方の区域を結合するために設けられるピンを、近位の区域の近位端にまで達する程度の長さに構成し、そこに、たとえば近位の方向へのピンのスライドを妨げるキャップ等を設けることも考えられる。キャップを取り外した後で初めて、同じく上述した収集ゾーンの分断を行うことができる。
【００２４】
本発明による試料採取装置のさらに別の態様では、保持装置が棒状の内側の装置を有していて、該装置の遠位端に試料収集領域が取外し可能に配置されていることが意図されていてよい。さらに保持装置は、棒状の内側の装置を少なくとも部分的に長手方向と円周方向とで取り囲む外側の装置を有している。内側および外側の装置は互いに相対的に位置調節可能であり、両方の装置の定義された相対運動によって試料収集領域が保持装置から分断されることが意図される。
【００２５】
１つの実施形態では、内側の装置は、予定破断個所を介して相互に結合された２つの区域を備える小棒である。外側の装置は、この小棒を長手方向で部分的に取り囲む小管である。さらに、小棒と小管は予定破断個所に対して遠位に回り止めの係合をしていることが意図される。そして小管の近位端が回されると、小管と小棒との間の遠位での回り止めに基づき、予定破断個所が破断されて、その遠位に延びる、試料収集領域を担持している小棒の部分が外される。
【００２６】
さらに別の実施形態では、やはり内側の小棒と小棒を部分的に取り囲む小管とが設けられている。小棒は２つの区域で構成されていて、すなわち、試料収集領域を担持する遠位の区域と、これに接するように配置された、上方に向かって突出する近位の区域とで構成されている。作動時には、小棒の遠位の区域と近位の区域との間の分離個所が外側の小管で取り囲まれる。遠位の区域が落下するのを防止するために、これと小管との間には嵌合式係合部を設けることができる。
【００２７】
分離をするために、上方に向かって突出している小棒の近位の領域が、相対的に見て、これを取り囲む小管の中へ押し込まれる。小棒が動いて小管が固定されていることが考えられる。しかしながら、固定された小棒に対して小管を上方に向かってスライドさせることも同様に良好に可能である。いずれのケースでも、遠位の区域と近位の区域との間の分離個所が下方に向かって小管から外に押し出され、それにより、試料収集領域が小棒の遠位の領域とともに保持装置から分断される。
【００２８】
当然ながら、小棒の遠位の領域とスリーブとの間の上に述べた嵌合は、小棒を押し入れるときの過度の力コストを要することなく解消できるように選択されていなければならない。
【００２９】
この点で、小棒の遠位の区域がどのように小管に収容されるかについては、後掲の図面（４，５ａｂ）で説明するさまざまな選択肢が考えられる。
【００３０】
最後に、さらに別の態様は、保持装置がやはり特に内側の小棒を有していて、および、これと平行にアライメントされて小棒を少なくとも部分的に取り囲む外側の装置を有していることを意図している。外側の装置と小棒はそれぞれの遠位端で収容部にプレス嵌めで挿入されていて、該収容部は他方の端部に試料収集領域を担持している。そして、内側および外側の装置を相対運動させることで外側の装置がアタッチメントから引き出されると、やはり固定が解消されて、アタッチメントならびに試料採取領域が自動的に分断される。
【００３１】
次に、複数の図面を参照しながら本発明について詳しく説明する。
【図面の簡単な説明】
【００３２】
【図１ａ】第１の態様に基づく本発明の装置の１つの実施例を組み立てられた状態で示す図である。
【図１ａ−１】同じ装置を分離された状態で示す図である。
【図１ｂ】第１の態様に基づく本発明の装置の別の実施例を組み立てられた状態で示す図である。
【図２】保持装置の外側の装置に対して内側の装置を回すことによって試料収集領域の分断が行われる、別の態様に基づく試料採取装置である。
【図３】保持装置の外側の装置に対して内側の装置を前に押すことによって試料収集領域の分断が行われる、別の態様に基づく試料採取装置である。
【図４】図３に示す試料採取装置の近位端の別案の構成である。
【図５】図５ａおよび図５ｂは、図３に示す試料採取装置の遠位端の別案の構成である。
【図６】さらに別の態様に基づく試料採取装置のさらに別の構成である。
【発明を実施するための形態】
【００３３】
図１ａは、試料収集領域１１と保持装置１２とを備える試料採取装置１０を示している。保持装置１２は上側の区域１３を有するとともに、これに対して遠位を向くように配置されたスリーブ１４を有している。近位の区域には内側の切欠き１５が設けられていて、該切欠きは、スリーブ１４の内側の寸法と基本的に同一の寸法を有している。両方の区域１３および１４の結合（接続）は、内側の切欠き１５とスリーブ１４の両方へわずかなクリアランスをもって挿入されたピン１６によって行われる。試料収集領域１１そのものは、通常はピン１６と対応する寸法をもつアタッチメント１７を介して、スリーブ１４の遠位の端部領域へ挿入されている。アタッチメント１７、ピン１６、ならびに内側の切欠き１５およびスリーブ１４の各寸法は、正常動作のときにこれらすべてのコンポーネントの安定した相互の結合が成立するように選択されている。不適正な操作がなされたとき、近位の区域１３とスリーブ１４との間の領域１８で試料採取装置１０の意図しない分離が生じないことを保証するために、任意選択として、近位の方向へのピン１６のスライドを制限する、図示しないロック装置が設けられていることができる。このようにして、領域１８を介して切欠き１５の中へとピンが意図せずスライドし得ることが防止される。
【００３４】
このロック装置は必ずしも必要というわけではない。通常のプラスチック製造プロセスの枠内で、試料採取装置の上述した各コンポーネントを相互に正確に調整された寸法で製作し、正常動作のときすべてのコンポーネントの確実な結合がたとえばピンによって保証されるようにして、そのような意図しない切欠きの中へのスライドが生じるリスクをほぼ排除することに問題はない。前述した各コンポーネントを、それぞれの保持特性に関して良好に設定可能な嵌合式結合を通じて、正常動作のときに相互に固定することも考えられる。
【００３５】
次に図１ａ−１は、試料収集装置１１が分断された試料採取装置１０の状態を示している。分断をするために、たとえば近位の区域１３の近位端が矢印方向２０に作用する力で付勢され、それに対して装置の遠位端は、すなわち試料収集領域１１は定置に、たとえば図示しない研究室用容器の底面の上に載置される。近位の区域１３が矢印２０の方向へ動くと、アタッチメント１７が近位の方向へスリーブ１４の中へ入るように動き、ピン１６を接触後に近位の区域１３の内側の切欠き１５の中へと全面的にスライドさせる。上側の区域１３とスリーブ１４の間の境界領域１８をピン１６が覆わなくなった瞬間に、この領域で結合が解消されて、中に挿入されているアタッチメント１７および試料収集領域１１とともにスリーブ１４が試料採取装置１０の残りの部分から自動的に分離する。
【００３６】
図１ｂは、アタッチメント１１７で保持される図示しない試料収集装置と、保持装置１１２とを備える試料採取装置１００を示している。図１ａと同様に保持装置１１２も、上側の区域１１３と、これに対して遠位に向くように一直線上に配置されたスリーブ１１４とを有している。
【００３７】
近位の区域には、スリーブ１１４の内側の寸法と実質的に同一の寸法を有する内側の切欠き１１５が同じく設けられている。両方の区域１１３および１１４の結合は、これら両区域へ挿入可能なピン１１６によって行われる。
【００３８】
図１ａとは異なり、ピン１１６は両方の端部に係止ラグ１２０および１２１を有していて、これらの係止ラグは、内側の切欠き１１３とスリーブ１１４に設けられた破断部１２２および１２３とそれぞれ係止係合している。アタッチメント１１７の近位端も、破断部１２３と係止係合する係止ラグ１２４を有している。
【００３９】
係止係合を解消するために、係止ラグ１２０，１２１および１２４を内方に向かって押し込むことができ、これらの係止ラグは、押し込まれた状態のときに、スリーブないし内側の切欠きの中でのアタッチメントないしピンのスライドを許容するように寸法決めされている。
【００４０】
すべての係止ラグは斜面を備えていて、それにより、アタッチメントに近位で作用する圧力が生じると、自動的に内方に向かって押圧されるようになっていて、その後に、図１ａ−１に示すような試料収集装置の分断が生じる程度まで、アタッチメントとピンをスライドさせることができる。
【００４１】
図２〜６は試料採取装置の別の態様を示している。
【００４２】
図２に示す試料採取装置３０は、棒状の内側の装置３２と、これを取り囲む小管の形態の外側の装置３３とを備えた保持装置３１を有している。棒状の内側の装置は遠位の区域３４と近位の区域３５とを有していて、その遠位端に試料収集領域３６が配置されている。近位の区域３４と遠位の区域３５は予定破断個所３７を介して相互に結合されている。小棒３３はその遠位端に、長手方向に延びる２つのスリット３８，３９を有していて、その中に遠位の区域３５の突起４０が挿入されている。近位の区域３４はその近位端に調節ボタン４１を有していて、該調節ボタンによって棒状の内側の装置３２を矢印４２の方向へ回すことができる。そのように回したときに外側の小管３３が固定されていれば、棒状の装置３２の近位の区域３４が予定破断個所３７のところで、スリット３８，３９の中で回転不能に固定された遠位の区域から分断され、遠位の区域がこれに配置された試料収集領域３６とともに下方に向かって保持装置３１から抜け落ちる。
【００４３】
図３には、棒状の内側の装置５３を備える遠位の試料収集領域５２のための保持装置５１と、これを取り囲む管状の外側の装置５４とを同じく有する試料採取装置５０が示されている。棒状の装置５３は、上方に向かって小管５４から突出する近位の区域５５と、試料収集領域５２を担持する遠位の区域５６とを同じく有している。遠位の区域５６と近位の区域５５の間には結合部がなく、すなわち、これら両部分はスリーブ状の外側の装置５４の中に同一平面上で一直線に並ぶように位置している。
【００４４】
試料採取中の意図しないスライドに対して、小棒状の装置５３はキャップ５７により防護されている。さらに遠位の区域５６は嵌合式係合部５８を介して、小管５４の中で抜け落ちなどに対して防護されている。
【００４５】
そして試料収集領域５２を分断したいときには、キャップ５７が取り外されて、遠位の区域５６が完全に下方に向かって前方にスライドしてスリーブ５４から抜け落ちることができる程度まで、小棒状の装置５５がスリーブ５４の中へ押し込まれる。当然ながら、スリーブ５４が小棒に対して上方に向かって動かされ、それによって同様の効果がもたらされることも考えられる。
【００４６】
図４は、小棒状の装置５５の近位に突出する端部を取り囲む柔軟なキャップ５７’が設けられた実施形態を示している。キャップ５７’は柔軟な材料でできていて、ボールペンの場合に類似する操作を可能にする。
【００４７】
図５ａと図５ｂは、保持装置６１の中で遠位の区域６０を収容するための選択肢を示している。このケースでは、小管６３で取り囲まれた内側の小棒状の装置６２が設けられている。小棒状の装置６２にはその遠位端に、長手方向に延びるスリット６４が設けられていて、その中に嵌合式係合部６５によって遠位の区域６０が配置されている。そして図５ｂに示すように、内側の小棒状の区域６２が下方に向かって小管６３から外に押し出されると、スリット６４を区切っている内側の小棒状の装置の区域６６および６７が外方に向かって旋回し、遠位の区域６０との嵌合式結合を解放する。
【００４８】
最後にさらに別の態様は、同じく特に内側の小棒の形態の内側の装置７１と、これと平行に向いて小棒を少なくとも部分的に取り囲む外側の装置７２とを有する保持装置７０を意図している。外側の装置７２と小棒７１はそれぞれの遠位端でプレス嵌めにより収容部７３に挿入されていて、該収容部は他方の端部に試料収集領域７４を担持している。そして、内側および外側の装置の相対運動によって外側の装置７２が収容部７３から引き出されると、保持装置と収容部の間の結合が解消され、収容部がこれに取り付けられた試料収集領域とともに自動的に分断される。
なお、本出願の原出願における出願当初の特許請求の範囲は、以下の通りである。
［請求項１］
長尺状の保持装置（１２）の自由端に設けられた試料収集領域（１１）を備え、該試料収集領域（１１）は、試料採取装置から分断可能に構成され、特にＤＮＡ含有の試料のための試料採取装置（１０）において、
前記保持装置（１２）は、長手方向視で、遠位端から少なくとも１つの長さ領域にわたって近位の方向へ延びる内側の切欠き（１５）を備える近位の区域（１３）と、前記切欠き（１５）と遠位で直線上に並ぶように向くスリーブ（１４）と、を有しており、
前記近位の区域（１３）と前記遠位のスリーブ（１４）とは、前記内側の切欠き（１５）および前記スリーブ（１４）に対してわずかなクリアランスをもって挿入されたピン（１６）を介して相互に結合されており、
前記ピン（１６）、前記スリーブ（１４）、および前記内側の切欠き（１５）の寸法は、正常動作のときに前記近位の区域と前記スリーブとの安定した結合が成立するように相互に調整されており、
前記試料収集領域（１１）は、長尺状のアタッチメント（１７）に配置され、
前記アタッチメントの自由端は、同じくわずかなクリアランスをもって前記スリーブ（１４）の遠位端に挿入されており、
前記内側の切欠き（１５）、前記スリーブ（１４）、前記ピン（１６）、および前記アタッチメント（１７）の長さは、前記アタッチメント（１７）が近位の方向へスライドしたときに、前記ピン（１６）が前記スリーブ（１４）に対して相対的に前記切欠きの中へ完全に差込可能であるように相互に調整されていることを特徴とする試料採取装置。
［請求項２］
前記内側の切欠き（１５）、前記スリーブ（１４）、前記ピン（１６）、および前記アタッチメント（７）の寸法は、前記ピン（１６）および／または前記アタッチメント（７）が前記スリーブ（１４）および／または前記内側の切欠き（１５）へ、プレス嵌めで収容されるように相互に調整されていることを特徴とする、請求項１に記載の試料採取装置。
［請求項３］
前記ピンおよび／または前記アタッチメントは、前記スリーブおよび／または前記内側の切欠きの中で嵌合式結合により、特に係止結合により固定されていることを特徴とする、請求項１に記載の試料採取装置。
［請求項４］
前記内側の切欠きの中での前記ピンの相対的なスライドを制限するロック部材（１９）が設けられていることを特徴とする、請求項１に記載の試料採取装置。
［請求項５］
前記保持装置（３１，５１，６１）は、遠位端に前記試料収集領域（３６，５２，７４）が配置された棒状の内側の装置（３２，５３，６２，７１）を有し、前記内側の装置を少なくとも部分的に取り囲むと共にこれに対して相対的に可動である外側の装置（３３，５４，７２）を有しており、
前記試料収集領域（７４）は、前記保持装置（７０）に取外し可能に結合されると共に、前記内側の装置と前記外側の装置との間の相対運動によってこれから分断可能であり、
または、前記内側の装置（３２，５３，６２）は、区域（３４，３５；５５，５６；６２，６０）を有しており、前記区域のうち１つが、前記試料収集領域を担持するとともに、前記内側の装置と前記外側の装置の相対運動によって前記保持装置から分断可能であることを特徴とする、請求項１の前提項に記載の試料採取装置。
［請求項６］
前記内側の装置は、近位の区域（３４）と、これと予定破断個所（３７）を介して接続され、前記試料収集領域（３６）を担持する遠位の区域（３５）とを有しており、
前記内側の装置を部分的に取り囲む小管の形態の外側の装置（３３）が設けられており、
前記遠位の区域は、前記小管内に長手方向へスライド可能であると共に回転しないよう固定され、前記近位の区域は、前記小管内に回転可能な状態で収容されていることを特徴とする、請求項５に記載の試料採取装置。
［請求項７］
前記内側の装置（５３）は、前記試料収集領域（５２）を担持する遠位の区域（５６）と、これに接するように配置され、これと結合されていない近位の区域（５５）とを有しており、
前記遠位の区域と前記近位の区域との間の分離個所を取り囲む外側の装置（５４）が設けられており、
前記近位の区域は、上方に向かって前記外側の装置から突出していることを特徴とする、請求項５に記載の試料採取装置。
［請求項８］
前記保持装置（７０）の前記内側の装置（７１）と前記外側の装置（７２）の遠位端は、他方の端部で前記試料収集領域（７４）を担持する収容部（７３）に、プレス嵌めで挿入されており、
前記内側の装置と前記外側の装置は、長手方向で互いに相対的にスライドできるように構成され、相応の相対運動によって前記保持装置（７０）と前記収容部（７３）との間の接続を解除できるように構成されていることを特徴とする、請求項５に記載の試料採取装置。
【図１ａ】
2018072345.tif 000003
【図１ａ−１】
2018072345.tif 000004
【図１ｂ】
2018072345.tif 000005
【図２】
2018072345.tif 000006
【図３】
2018072345.tif 000007
【図４】
2018072345.tif 000008
【図５】
2018072345.tif 000009
【図６】
2018072345.tif 000010